(57)【特許請求の範囲】
【請求項１】
上段パネル材と、
前記上段パネル材の下方に配置される少なくとも１以上の中段パネル材と、
前記中段パネル材が上方に配置され、かつ止水パネルの設置面と対向する下段パネル材と、
上下方向において隣り合う前記パネル材を連結する連結部材と、
上下方向において隣り合う前記パネル材の間に介在し、上下方向において隣り合う前記パネル材にそれぞれ接触することで、厚み方向における前記パネル材の間のうち、少なくとも一方の外側と内側の連通を止水するパネル止水部材と、
を備え、
前記連結部材は、
上下方向において隣り合う前記パネル材のうち、一方の前記パネル材の他方の前記パネル材側に設けられる第１係合部と、
上下方向において隣り合う前記パネル材のうち、前記他方の前記パネル材の前記一方の前記パネル材側に設けられ、前記第１係合部と前記厚み方向で対向することで、前記第１係合部と係合する第２係合部と、
前記第１係合部と前記厚み方向において離間して設けられる第３係合部と、
前記第２係合部と前記厚み方向において離間して設けられ、前記第３係合部と前記厚み方向で対向することで、前記第３係合部と係合状態となる第４係合部と、
前記第４係合部よりも厚み方向における外側に形成された突起部と、
を備え、
前記第４係合部と前記突起部との間には、前記パネル止水部材を収容する収容空間部が形成され、
前記一方の前記パネル材を前記他方の前記パネル材に連結する際に、前記第３係合部を前記収容空間部に収容されたパネル止水部材に接触した状態で、前記第３係合部を基準として、前記一方の前記パネル材あるいは前記他方の前記パネル材のいずれかを前記第１係合部および前記第２係合部を近接する方向に回転させることで、前記パネル止水部材が前記第３係合部および前記第４係合部と接触した状態で、前記第１係合部および前記第２係合部が係合状態となり、前記第３係合部および前記第４係合部が係合状態となり、上下方向において隣り合う前記パネル材を連結し、
前記パネル材の幅方向における両端部をそれぞれ閉塞する一対の側面部材をさらに備え、
前記パネル止水部材は、弾性部材であり、前記パネル材よりも幅方向において突出して前記収容空間部に収容されており、
前記一対の側面部材は、弾性部材の側面止水部材を備え、
前記一対の側面部材により前記パネル材を閉塞した状態では、前記パネル材の幅方向における両端面と接触し、かつ前記パネル止水部材と前記側面止水部材とが圧縮状態で接触することを特徴とする止水パネル。
【発明の詳細な説明】
【技術分野】
【０００１】
本発明は、止水パネルに関し、開口部を止水する止水パネルに関する。
【背景技術】
【０００２】
従来、豪雨、津波、河川の氾濫などの水害時に、外部である屋外からの氾濫水などの水は、構造物の開口部から内部である構造物内（屋内）に浸入するため、構造物の開口部に止水パネルが設けられている。止水パネルは、例えば、開口部を形成する幅方向において離間して設置される一対の枠部材の間に設置され、止水パネルと一対の枠部材および止水パネルと設置面との間にゴムなどが介在され、開口部の止水を行うものである（特許文献１）。
【先行技術文献】
【特許文献】
【０００３】
【特許文献１】特許第４２６４３００号公報
【発明の概要】
【発明が解決しようとする課題】
【０００４】
止水パネルは、屋外側の側面において水圧を受けることとなるため、十分な強度を有する材料、例えば、アルミニウム合金が採用されている。また、複数のパネル材を連結することで１枚の止水パネルとする場合においては、パネル材同士の連結を強固に行うこととなる。そのため、ユーザーによるパネル材同士の連結が困難となり、止水パネルの組み立て作業性が低下する虞がある。
【０００５】
本発明は、上記に鑑みてなされたものであって、止水パネルの組み立て作業性の低下を抑制することができる止水パネルを提供することを目的とするものである。
【課題を解決するための手段】
【０００６】
上述した課題を解決し、目的を達成するために、本発明に係る止水パネルは、上段パネル材と、前記上段パネル材の下方に配置される少なくとも１以上の中段パネル材と、前記中段パネル材が上方に配置され、かつ前記止水パネルの設置面と対向する下段パネル材と、上下方向において隣り合う前記パネル材を連結する連結部材と、上下方向において隣り合う前記パネル材の間に介在し、上下方向において隣り合う前記パネル材にそれぞれ接触することで、厚み方向における前記パネル材の間のうち、少なくとも一方の外側と内側の連通を止水するパネル止水部材と、を備え、前記連結部材は、上下方向において隣り合う前記パネル材のうち、一方の前記パネル材の他方の前記パネル材側に設けられる第１係合部と、上下方向において隣り合う前記パネル材のうち、前記他方の前記パネル材の前記一方の前記パネル材側に設けられ、前記第１係合部と前記厚み方向で対向することで、前記第１係合部と係合する第２係合部と、前記第１係合部と前記厚み方向において離間して設けられる第３係合部と、前記第２係合部と前記厚み方向において離間して設けられ、前記第３係合部と前記厚み方向で対向することで、前記第３係合部と係合状態となる第４係合部と、前記第４係合部よりも厚み方向における外側に形成された突起部と、を備え、前記第４係合部と前記突起部との間には、前記パネル止水部材を収容する収容空間部が形成され、前記一方の前記パネル材を前記他方の前記パネル材に連結する際に、前記第３係合部を前記収容空間部に収容された前記パネル止水部材に接触した状態で、前記第３係合部を基準として、前記一方の前記パネル材あるいは前記他方の前記パネル材のいずれかを前記第１係合部および前記第２係合部を近接する方向に回転させることで、前記パネル止水部材が前記第３係合部および前記第４係合部と接触した状態で、前記第１係合部および前記第２係合部が係合状態となり、前記第３係合部および前記第４係合部が係合状態となり、上下方向において隣り合う前記パネル材を連結し、前記パネル材の幅方向における両端部をそれぞれ閉塞する一対の側面部材をさらに備え、前記パネル止水部材は、弾性部材であり、前記パネル材よりも幅方向において突出して前記収容空間部に収容されており、前記一対の側面部材は、弾性部材の側面止水部材を備え、前記一対の側面部材により前記パネル材を閉塞した状態では、前記パネル材の幅方向における両端面と接触し、かつ前記パネル止水部材と前記側面止水部材とが圧縮状態で接触することを特徴とする。
【発明の効果】
【０００８】
本発明に係る止水パネルでは、止水パネルの組み立て作業性の低下を抑制することができるという効果を奏する。
【図面の簡単な説明】
【０００９】
【図１】図１は、実施形態に係る止水パネルを用いた止水装置の概略構成例を示す正面図である。
【図２】図２は、実施形態に係る止水パネルを用いた止水装置の一部平面図である。
【図３】図３は、実施形態に係る止水パネルを用いた止水装置の一部背面図である。
【図４】図４は、実施形態に係る止水パネルのパネル材の断面図である。
【図５】図５は、実施形態に係る止水パネルの側面部材の平面図である。
【図６】図６は、実施形態に係る止水パネルの位置決め機構を示す平面図である。
【図７】図７は、実施形態に係る止水パネルのパネル材の連結動作説明図である。
【図８】図８は、実施形態に係る止水パネルのパネル材の連結動作説明図である。
【図９】図９は、実施形態に係る止水パネルを用いた止水装置（立位状態）の動作説明図である。
【図１０】図１０は、実施形態に係る止水パネルを用いた止水装置（傾斜状態）の動作説明図である。
【発明を実施するための形態】
【００１０】
以下に、本発明にかかる止水装置の実施形態を図面に基づいて詳細に説明する。なお、この実施形態によりこの発明が限定されるものではない。また、下記の実施形態における構成要素には、当業者が容易に想定できるものあるいは実質的に同一のものが含まれる。
【００１１】
〔実施形態〕
まず、実施形態に係る止水パネルについて説明する。図１は、実施形態に係る止水パネルを用いた止水装置の概略構成例を示す正面図である。図２は、実施形態に係る止水パネルを用いた止水装置の一部平面図である。図３は、実施形態に係る止水パネルを用いた止水装置の一部背面図である。図４は、実施形態に係る止水パネルのパネル材の断面図である。図５は、実施形態に係る止水パネルの側面部材の平面図である。図６は、実施形態に係る止水パネルの位置決め機構を示す平面図である。図７は、実施形態に係る止水パネルのパネル材の連結動作説明図である。図８は、実施形態に係る止水パネルのパネル材の連結動作説明図である。なお、図４は連結状態のパネル材を幅方向から見た図である。また、図６においては、止水パネル２および第１止水部材３Ｒ，３Ｌを模式的に作図（二点鎖線）している。ここで、各図における「屋内外方向」とは開口部を挟んで屋外側と屋内側とを結ぶ方向であり、「幅方向」とは屋内外方向と直交し、一対の枠部材が離間して設置される方向であり、「上下方向」とは屋内外方向および幅方向と直交する方向である。
【００１２】
本実施形態に係る止水パネル２を用いる止水装置１は、図１に示すように、開口部１００を止水するものであり、止水パネル２と、第１止水部材３Ｒ，３Ｌと、第２止水部材４と、一対の押圧機構５Ｒ，５Ｌと、一対の固定機構６Ｒ，６Ｌと、保持機構７Ｒ，７Ｌと、一対の位置決め機構８Ｒ，８Ｌとを備える。ここで、開口部１００は、構造物の屋内側と屋外側とを連通するものであり、例えば、高い意匠性が要求される店舗の入り口などを構成する。また、構造物は、開口部１００を有していればよく、所定の敷地を囲む屋根のない塀なども含まれる。この場合は、屋内側とは囲いの内側となり、屋外側とは囲いの外側となる。開口部１００は、少なくとも一対の枠部材２００Ｒ，２００Ｌと、設置面３００とにより形成されている。一対の枠部材２００Ｒ，２００Ｌは、幅方向において離間して設置されるものであり、床や、地面などの設置面３００から立設されている。本実施形態における開口部１００は、開閉体が設けられていない場合について説明するが、これに限定されるものではなく、例えば、扉、自動扉、シャッターなどの開閉体が存在していてもよい。また、本実施形態における枠部材２００Ｒ，２００Ｌは、例えば、金属製の方立である。
【００１３】
止水パネル２は、開口部１００の屋外側に配置されることで、屋外側から屋内側に浸入する水を図２に示す形状の止水パネル２においては屋外側の側面２ａで受け止め、堰き止めるものである。止水パネル２は、矩形状に形成されており、幅方向における長さが開口部１００の幅方向における長さよりも長く設定されている。つまり、止水パネル２は、幅方向における両端部が一対の枠部材２００Ｒ，２００Ｌと、屋内外方向においてそれぞれ対向する。止水パネル２は、図１および図４に示すように、上段パネル材２１と、中段パネル材２２と、下段パネル材２３と、一対の側面部材２４Ｒ，２４Ｌと、第１係合部２５と、第２係合部２６と、第３係合部２７と、第４係合部２８と、突起部２９と、収容空間部Ｓと、パネル止水部材Ｇとを備える。本実施形態における止水パネル２は、上段パネル材２１と下段パネル材２３との間に１枚の中段パネル材２２が配置されている場合について説明するが、これに限定されるものではなく、中段パネル材２２を上段パネル材２１と下段パネル材２３との間に複数枚配置してもよい。これにより、止水パネル２は、立位状態における上下方向での高さを調整することができる。止水パネル２の高さは、ユーザーが十分に跨ぐことができる高さに設定されていることが好ましく、例えば、３０ＣＭから６０ＣＭ程度が好ましい。従って、止水装置１が設置状態であっても、開口部１００を使用して、外部と構造物の内部との間を止水パネル２を跨ぐことで、行き来することができる。止水パネル２は、屋外側の側面２ａにおいて受け止めた水の水圧に耐えうる強度を有し、かつ、ユーザーが単独で持ち運びできる程度の重量であることが好ましいため、アルミニウム、アルミニウム合金あるいはステンレスなど、軽量で強度の高い材料で構成されている。
【００１４】
上段パネル材２１は、止水パネル２の上下方向における上方側端部を構成するものである。上段パネル材２１は、上下方向における下方側に、幅方向における中段パネル材２２の両端部まで連続する空間部２１ａが形成されている。空間部２１ａは、下方側が開口して形成されている。空間部２１ａには、上方側端部を構成する部分にビス止め部２１ｂが形成されている。ビス止め部２１ｂは、幅方向における上段パネル材２１の両端部まで延在し、かつ側面部材２４Ｒ，２４Ｌを介して挿入されるビスＢが螺合するものである（ビス止め部２２ｃ，２２ｄ，２３ｄ，２３ｅも同様の構成である）。上段パネル材２１は、下方側、すなわち中段パネル材２２側に、第１係合部２５および第３係合部２７が設けられている。本実施形態における上段パネル材２１は、幅方向から見た場合に、厚み方向（止水パネル２が立位状態において屋内外方向）の両端部を構成する部分、すなわち上段パネル材２１の両側面（止水パネル２の側面２ａ、２ｂ）を構成する部分の下方側端部に第１係合部２５および第３係合部２７がそれぞれ設けられている。
【００１５】
中段パネル材２２は、止水パネル２の上下方向における中央部を構成するものであり、上段パネル材２１の下方側に配置され、上段パネル材２１と上下方向において隣り合うものである。中段パネル材２２は、幅方向における中段パネル材２２の両端部まで連続する内部空間として、第１空間部２２ａと、第２空間部２２ｂとが形成されている。第１空間部２２ａは、上下方向において閉塞されている。第１空間部２２ａは、上方側を構成する部分に下方側に突出してビス止め部材２２ｃが形成されている。第２空間部２２ｂは、第１空間部２２ａの下方側に位置し、下方側が開口して形成されている。第２空間部２２ｂは、上方側を構成する部分に下方側に突出してビス止め部材２２ｄが形成されている。中段パネル材２２は、上方側、すなわち上段パネル材２１側に、第２係合部２６および第４係合部２８が設けられている。本実施形態における中段パネル材２２は、幅方向から見た場合に、上方側端部を構成する部分において、厚み方向に離間した状態で、上段パネル材２１側に突出して第２係合部２６および第４係合部２８がそれぞれ設けられている。中段パネル材２２は、下方側、すなわち下段パネル材２３側に、第１係合部２５および第３係合部２７が設けられている。本実施形態における中段パネル材２２は、幅方向から見た場合に、厚み方向の両端部を構成する部分、すなわち中段パネル材２２の両側面（止水パネル２の側面２ａ、２ｂ）を構成する部分の下方側端部に第１係合部２５および第３係合部２７がそれぞれ設けられている。
【００１６】
下段パネル材２３は、止水パネル２の上下方向における下方側端部を構成するものであり、中段パネル材２２が上方側に配置され、中段パネル材２２と上下方向において隣り合うものである。下段パネル材２３は、幅方向における中段パネル材２２の両端部まで連続する内部空間として、第１空間部２３ａと、第２空間部２３ｂと、第３空間部２３ｃとが形成されている。第１空間部２３ａは、上下方向において閉塞されている。第１空間部２３ａは、上方側を構成する部分に下方側に突出したビス止め部材２３ｄおよび下方側を構成する部分に上方側に突出したビス止め部材２３ｅが形成されている。第２空間部２３ｂは、第１空間部２３ａの下方側に位置し、下方側が開口して形成されている。第３空間部２３ｃは、第１空間部２３ａの下方側に位置し、下方側が開口して形成されている。第２空間部２３ｂおよび第３空間部２３ｃは、厚み方向において隣り合って形成されている。本実施形態における下段パネル材２３では、第３空間部２３ｃの開口を介して、第２止水部材４が第３空間部２３ｃに挿入され、第３空間部２３ｃを形成する部分の下方側端部に形成された幅方向において対向する爪により、第２止水部材４を保持する。下段パネル材２３は、上方側、すなわち中段パネル材２２側に、第２係合部２６および第４係合部２８が設けられている。本実施形態における下段パネル材２３は、幅方向から見た場合に、上方側端部を構成する部分において、厚み方向（屋内外方向）に離間した状態で、中段パネル材２２側に突出して第２係合部２６および第４係合部２８がそれぞれ設けられている。
【００１７】
第１係合部２５および第２係合部２６は、厚み方向で対向することで係合し、上下方向において隣り合うパネル材２１〜２３を連結する連結部材である。また、第３係合部２７および第４係合部２８は、厚み方向で対向することで係合し、上下方向において隣り合うパネル材２１〜２３を連結する連結部材である。
【００１８】
第１係合部２５は、図７，図８に示すように、厚み方向における内側（空間部２１ａ側）において、上下方向に離間する第１係合爪２５ａおよび第２係合爪２５ｂが形成されている。第１係合爪２５ａは、第２係合爪２５ｂよりも上方側で、かつ厚み方向における内側に突出して形成されている。第１係合爪２５ａは、下方側が厚み方向における外側（側面２ａ側）から内側に向けて上方側に傾斜する傾斜面が形成されている。第２係合爪２５ｂは、パネル材２１，２２の下方側端部で、厚み方向における内側に突出して形成されている。なお、第１係合爪２５ａは、図４に示すように、第１係合部２５がパネル材２２，２３の上方側端部と接触した状態で、第２係合部２６の後述する係合爪２６ａよりも下方側に位置するように設定されている。
【００１９】
第２係合部２６は、上方側端部のうち厚み方向における外側（側面２ａ側）に係合爪２６ａが形成されている。係合爪２６ａは、厚み方向における外側に突出して形成されている。係合爪２６ａは、下方側が厚み方向における内側（第１部空間部２２ａ側）から外側に向けて上方側に傾斜する傾斜面で形成されている。係合爪２６ａは、上方側が厚み方向における外側から内側に向けて上方側に傾斜する傾斜面で形成されている。
【００２０】
第３係合部２７は、パネル材２１，２２の下方側端部で、厚み方向における内側（空間部２１ａ側）に係合爪２７ａが形成されている。係合爪２７ａは、厚み方向における内側に突出して形成されている。なお、第３係合爪２７ａは、図４に示すように、第３係合部２７が突起部２９と接触した状態で、第４係合部２８の後述する係合爪２８ｄよりも下方側に位置するように設定されている。
【００２１】
第４係合部２８は、第１延在部２８ａと、第２延在部２８ｂと、第３延在部２８ｃとを有している。第１延在部２８ａは、パネル材２２，２３の上方側端部を構成する部分から上方側に突出するものであり、先端部に第２延在部２８ｂが連結されている。第２延在部２８ｂは、第１延在部２８ａの先端部から厚み方向における外側（側面２ｂ側）に突出するものであり、先端部に第３延在部２８ｃが連結されている。第３延在部２８ｃは、第２延在部２８ｂの先端部から上方側に突出するものである。つまり、第４係合部２８は、厚み方向における外側にオフセットして形成されている。第２延在部２８ｂと第３延在部２８ｃの連結箇所は、幅方向から見た場合に、厚み方向における外側が面取り、実施形態では円弧に形成されている。これは、後述するパネル材２１〜２３の連結時に、第３係合部２７が第４係合部２８と接触しても、第３係合部２７を下方側に容易に案内するためである。第４係合部２８は、第３延在部２８ｃのうち厚み方向における外側に係合爪２８ｄが形成されている。係合爪２８ｄは、厚み方向における外側に突出して形成されている。係合爪２８ｄは、下方側が厚み方向における内側から外側に向けて上方側に傾斜する傾斜面で形成されている。係合爪２８ｄは、上方側が厚み方向における外側から内側に向けて上方側に傾斜する傾斜面で形成されている。
【００２２】
突起部２９は、第４係合部２８よりも厚み方向における外側に形成されている。突起部２９は、パネル材２２，２３の上方側端部を構成する部分の厚み方向における第４係合部２８側の端部から、上方側に突出して設けられている。つまり、突起部２９は、パネル材２２，２３の両側面（止水パネル２の側面２ａ，２ｂ）のうち、第４係合部２８側の側面（側面２ｂ）の上方側端部を構成する。突起部２９は、幅方向から見た場合に、上方側端部において厚み方向における内側が面取り、実施形態では円弧に形成されている。これは、後述するパネル材２１〜２３の連結時に、第３係合部２７が突起部２９と接触しても、第３係合部２７を上方側に容易に案内するためである。
【００２３】
収容空間部Ｓは、パネル止水部材Ｇを収容するものであり、第４係合部２８と突起部２９との間に形成されている。収容空間部Ｓは、第４係合部２８と突起部２９との間に開口Ｓ１が形成されている。
【００２４】
パネル止水部材Ｇは、上下方向において隣り合うパネル材２１〜２３の間、すなわち本実施形態では、上段パネル材２１と中段パネル材２２との間、中段パネル材２２と下段パネル材２３との間に介在するものである。パネル止水部材Ｇは、弾性部材であり、弾性変形が大きい軟質ゴム、あるいは発泡ゴムなどである。パネル止水部材Ｇは、収容空間部Ｓに収容された際に、第４係合部２８および突起部２９に接触することで弾性圧縮され、開口Ｓ１から一部が突出するように形成されている。本実施形態におけるパネル止水部材Ｇは、幅方向から見た場合に円形である。また、パネル止水部材Ｇは、幅方向における長さがパネル材２１〜２３の幅方向における長さよりも長く設定されている。例えば、パネル止水部材Ｇは、収容空間部Ｓに収容された状態で、幅方向における両端部がパネル材２１〜２３の幅方向における両端部よりもそれぞれ２ｍｍ程度突出する。
【００２５】
一対の側面部材２４Ｒ，２４Ｌは、図１に示すように、パネル材２１〜２３の幅方向における両端部をそれぞれ閉塞するものであり、連結されたパネル材２１〜２３の幅方向における両端部の上方側端部から下方側端部まで閉塞するものである。側面部材２４Ｒ，２４Ｌは、図５に示すように、第１空間部２４ａと、第２空間部２４ｂとが形成されている。第１空間部２４ａは、幅方向における内側に開口が形成され、開口を介して、パネル材２１〜２３の幅方向における端部が挿入されるものである。第２空間部２４ｂは、第１空間部２４ａの厚み方向における一方側（止水パネル２が立位状態において屋内側）に配置され、厚み方向における一方側に開口が形成されている。第２空間部２４ｂは、開口を介して、第１止水部材３Ｒ，３Ｌがそれぞれ挿入され、第２空間部２４ｂを形成する部分の厚み方向における一方側に形成された幅方向に対向する爪により、第１止水部材３Ｒ，３Ｌをそれぞれ保持する。側面部材２４Ｒ，２４Ｌは、幅方向においてパネル材２１〜２３と対向する位置にビス穴２４ｃが形成されている。本実施形態におけるビス穴２４ｃは、パネル材２１〜２３に形成される各ビス止め部２１ｂ，２２ｃ，２２ｄ，２３ｄ，２３ｅとそれぞれ幅方向において対向する位置に複数個形成されている。側面部材２４Ｒ，２４Ｌは、幅方向においてパネル材２１〜２３と対向する側に、側面止水部材２４ｄがそれぞれ形成されている。側面止水部材２４ｄは、弾性部材であり、弾性変形が大きい軟質ゴム、あるいは発泡ゴムなどである。側面止水部材２４ｄは、各ビス止め部２１ｂ，２２ｃ，２２ｄ，２３ｄ，２３ｅと幅方向において対向する位置にそれぞれ貫通穴２４ｅが形成されている。側面止水部材２４ｄは、側面部材２４Ｒ，２４Ｌによりパネル材２１〜２３の幅方向における両端部をそれぞれ閉塞した状態で、パネル材２１〜２３の幅方向における両端面と圧縮状態で接触している。従って、屋外側側面２ａから止水パネル２の内部空間、すなわち各空間部２１ａ，２２ａ，２２ｂ，２３ａに浸入した水である内部浸入水は、パネル材２１〜２３の幅方向における両端面と側面部材２４Ｒ，２４Ｌとの間が側面止水部材２４ｄにより止水されているため、パネル材２１〜２３の幅方向における両端面と側面部材２４Ｒ，２４Ｌとの間から止水パネル２の屋内側に漏れ出すことを防止することができる。さらに、側面止水部材２４ｄは、側面部材２４Ｒ，２４Ｌによりパネル材２１〜２３の幅方向における両端部をそれぞれ閉塞した状態で、パネル止水部材Ｇと側面止水部材２４ｄとが圧縮状態で接触している。従って、内部浸入水は、収容空間部Ｓと側面部材２４Ｒ，２４Ｌとの間が側面止水部材２４ｄおよびパネル止水部材Ｇにより止水されているため、収容空間部Ｓと連通するパネル材２１〜２３の間から止水パネル２の屋内側に漏れ出すことを防止することができる。
【００２６】
一対の第１止水部材３Ｒ，３Ｌは、図１に示すように、枠部材２００Ｒ，２００Ｌと止水パネル２との間をそれぞれ止水するものである。第１止水部材３Ｒ，３Ｌは、止水パネル２の屋内側の側面２ｂの幅方向における両端部にそれぞれ設けられている。本実施形態における第１止水部材３Ｒ，３Ｌは、一対の側面部材２４Ｒ，２４Ｌに保持されている。第１止水部材３Ｒ，３Ｌは、同一形状であり、止水パネル２の上下方向における両端部までの長さを有する帯状に形成されている。第１止水部材３Ｒ，３Ｌは、弾性部材であり、弾性変形が大きい軟質ゴム、あるいは発泡ゴムなどである。ここで、第１止水部材３Ｒ，３Ｌは、第１止水部材３Ｒを枠部材２００Ｒと屋内外方向において対向させた際に、第１止水部材３Ｌが枠部材２００Ｌと屋内外方向において対向するように、止水パネル２に対する幅方向の間隔が設定されている。本実施形態における第１止水部材３Ｒ，３Ｌは、枠部材２００Ｒ，２００Ｌの幅方向における幅よりも狭い幅で形成されている。また、第１止水部材３Ｒ，３Ｌは、第１止水部材３Ｒの幅方向における開口部１００側の端部を枠部材２００Ｒの幅方向における開口部１００側の端部と一致させた場合に、第１止水部材３Ｌの幅方向における開口部１００側と反対側の端部が枠部材２００Ｌの幅方向における開口部１００側と反対側の端部と同じまたはこの端部よりも開口部１００側に位置するように、止水パネル２に対して設けられている。なお、第１止水部材３Ｒ，３Ｌは、止水パネル２の上下方向における下方側端部から上方に向かって形成されていればよく、この場合は止水装置１が想定する止水すべき設置面３００からの高さよりも高い位置まで形成されていればよい。
【００２７】
第２止水部材４は、設置面３００と止水パネル２との間を止水するものである。第２止水部材４は、止水パネル２の底面２ｄ、すなわち上下方向における下方側の面に設けられている。本実施形態における第２止水部材４は、下段パネル材２３に保持されている。第２止水部材４は、止水パネル２の幅方向における両端部までの長さを有する帯状に形成されている。第２止水部材４は、幅方向における両端部が第１止水部材３Ｒ，３Ｌとそれぞれ連結されている。例えば、第２止水部材４の幅方向における両端部が止水パネル２の屋内側の側面２ｂに延在しており、側面２ｂにおいて第１止水部材３Ｒ，３Ｌと第２止水部材４とが屋内外方向において重なっている。第２止水部材４は、弾性部材であり、弾性変形が大きい軟質ゴム、あるいは発泡ゴムなどであり、第１止水部材３Ｒ，３Ｌと共通の断面形状としてもよいが、止水パネル２の自重および押圧機構５Ｒ，５Ｌによる押圧力により変形することを考慮して、外力が作用していない状態で、第１止水部材３Ｒ，３Ｌよりも厚く形成するようにしてもよい。
【００２８】
一対の押圧機構５Ｒ，５Ｌは、止水パネル２が傾斜状態から立位状態となることで、止水パネル２を設置面３００に押圧するものである。押圧機構５Ｒ，５Ｌは、枠部材２００Ｒ，２００Ｌに固定された固定機構６Ｒ，６Ｌと、止水パネル２との間で幅方向周りに回転自在に支持されるものである。押圧機構５Ｒ，５Ｌは、枠部材２００Ｒ，２００Ｌにそれぞれ対応して設けられ、一方に対して他方が、屋内外方向を基準に線対称である。押圧機構５Ｒ，５Ｌは、支持部材５１と、押圧部材５２と、回転軸５３とを備える。
【００２９】
支持部材５１は、押圧部材５２を幅方向周りに回転自在に支持するものである。支持部材５１は、止水パネル２の屋内側の側面２ｂに取り付けられている。
【００３０】
押圧部材５２は、後述するノブ６５を介して固定機構６Ｒ，６Ｌを幅方向周りに回転自在にそれぞれ支持するものである。本実施形態における押圧部材５２は、屋内外方向から見た場合に、上下方向に延在する板状部材であり、上下方向における下方側の端部に支持穴５２ａが形成され、上方側端部にねじ穴５２ｂが形成されている。支持穴５２ａは、幅方向に形成された貫通穴であり、回転軸５３が幅方向周りに回転自在に挿入されるものである。ねじ穴５２ｂは、幅方向に形成された貫通穴であり、ノブ６５の軸部６５ａが螺合する雌ねじが形成されている。ここで、押圧部材５２の上下方向の長さは、止水パネル２が立位状態において、固定機構６Ｒ，６Ｌの後述する接触部材６１が止水パネル２の上面２ｃと非接触となるように設定されている。また、押圧部材５２は、上下方向から見た場合に、幅方向において枠部材２００Ｒ，２００Ｌに固定された固定機構６Ｒ，６Ｌの後述する支持部材６４との間に間隙が形成可能に配置されている。
【００３１】
回転軸５３は、支持部材５１に幅方向に平行に固定され、押圧部材５２を回転軸５３周り、すなわち幅方向周りに支持するものである。つまり、押圧機構５Ｒ，５Ｌは、止水パネル２の屋内側の側面２ｂに対して、幅方向周りに回転自在に支持されることとなる。
【００３２】
一対の固定機構６Ｒ，６Ｌは、枠部材２００Ｒ，２００Ｌに着脱自在にそれぞれ固定されるものであり、一方に対して他方が、屋内外方向を基準に線対称である。本実施形態における固定機構６Ｒ，６Ｌは、止水パネル２に対する幅方向における位置を変化させることで、枠部材２００Ｒ，２００Ｌの幅方向において対向する対向面２０１にそれぞれ接触するとともに、幅方向外側にそれぞれ押圧することで、枠部材２００Ｒ，２００Ｌにそれぞれ固定される。固定機構６Ｒ，６Ｌは、接触部材６１と、第１緩衝部材６２と、第２緩衝部材６３と、支持部材６４と、ノブ６５とを備える。
【００３３】
接触部材６１は、枠部材２００Ｒ，２００Ｌに接触するものである。本実施形態における接触部材６１は、対向面２０１と接触するものであり、屋内外方向における屋外側の端部が幅方向における開口部１００側と反対側に延在しており、枠部材２００Ｒ，２００Ｌの屋外側の屋外側面２０２とも接触する。接触部材６１は、幅方向において枠部材２００Ｒ，２００Ｌをそれぞれ押圧することが可能な強度を有する、例えば、金属製である。
【００３４】
第１緩衝部材６２は、接触部材６１の対向面２０１と対向する部分に設けられ、接触部材６１と対向面２０１との間に介在するものである。また、第２緩衝部材６３は、接触部材６１の屋外側面２０２と対向する部分に設けられ、接触部材６１と屋外側面２０２との間に介在するものである。第１緩衝部材６２および第２緩衝部材６３は、接触部材６１が枠部材２００Ｒ，２００Ｌと直接接触することで、枠部材２００Ｒ，２００Ｌが損傷することを抑制するものである。第１緩衝部材６２および第２緩衝部材６３は、例えば、弾性変形が小さい硬質ゴムなどにより構成されている。
【００３５】
支持部材６４は、接触部材６１の幅方向において対向面２０１側と反対側に取り付けられている。支持部材６４は、屋内外方向から見た場合に、幅方向において接触部材６１側と反対側に向かって突出する凸形状に形成されており、接触部材６１との間で空間部６４ａが形成されている。支持部材６４は、幅方向において接触部材６１側と反対側に、空間部６４ａと連通する挿入穴６４ｂが形成されている。
【００３６】
ノブ６５は、接触部材６１を幅方向周りに回転自在に支持するものである。ノブ６５は、軸部６５ａと、把持部６５ｂとを備える。軸部６５ａは、棒状であり、外周面に雄ねじが形成されている。軸部６５ａの幅方向における両端部のうち、一方の端部、すなわち先端部が支持部材６４に挿入され、他方の端部が把持部６５ｂに固定されている。軸部６５ａは、押圧部材５２のねじ穴５２ｂに、先端部が幅方向における外側、すなわち枠部材２００Ｒ，２００Ｌと対向するように螺合されている。つまり、ノブ６５は、幅方向周りに回転しなければ、押圧部材５２に対する幅方向における位置は変化しない。軸部６５ａは、支持部材６４の空間部６４ａに位置している先端部に抜け止め部材６５ｃが取り付けられている。つまり、ノブ６５は、接触部材６１が幅方向周りに回転自在に支持された状態で、接触部材６１から先端部が抜けることが規制されている。これにより、固定機構６Ｒ，６Ｌは、押圧機構５Ｒ，５Ｌに対して、幅方向周りに回転自在に支持され、枠部材２００Ｒ，２００Ｌに着脱自在にそれぞれ固定される。把持部６５ｂは、軸部６５ａを幅方向周りに回転させるものであり、ユーザーが把持するものである。把持部６５ｂは、軸部６５ａよりも大きな外径で形成されている。なお、把持部６５ｂは、ユーザーによる把持を容易とするために、外周面に凹凸が形成されていてもよい。
【００３７】
保持機構７Ｒ，７Ｌは、止水パネル２の立位状態を保持することで、枠部材２００Ｒ，２００Ｌに対する止水パネル２の位置関係を保持するものであり、一方に対して他方が、屋内外方向を基準に線対称である。本実施形態における保持機構７Ｒ，７Ｌは、押圧機構５Ｒ，５Ｌにそれぞれ対応して一対設けられており、上下方向から見た場合に、止水パネル２と押圧機構５Ｒ，５Ｌとの間の屋内外方向における距離が広がることを規制するものである。保持機構７Ｒ，７Ｌは、支持部材７１と、フック７２と、回転軸７３とを備える。
【００３８】
支持部材７１は、フック７２を幅方向周りに回転自在に支持するものである。支持部材７１は、止水パネル２の上面２ｃに取り付けられている。支持部材７１は、上面２ｃのうち、押圧部材５２の幅方向における両端部のうち枠部材２００Ｒ，２００Ｌ側の端部よりも枠部材２００Ｒ，２００Ｌ側と屋内外方向において対向する位置に取り付けられている。
【００３９】
フック７２は、押圧機構５Ｒ、５Ｌおよび固定機構６Ｒ，６Ｌの少なくとも一方を係止するものである。本実施形態におけるフック７２は、ノブ６５の軸部６５ａを係止するものである。フック７２は、上下方向から見た場合に、屋内外方向に延在する略矩形状部材であり、屋内外方向における一方の端部に支持穴７２ａが形成され、他方の端部、すなわち先端部に係止溝７２ｂが形成されている。支持穴７２ａは、幅方向に形成された貫通穴であり、回転軸７３が幅方向周りに回転自在に挿入されるものである。係止溝７２ｂは、軸部６５ａの一部が挿入されるものであり、止水パネル２が枠部材２００Ｒ，２００Ｌに対して屋内外方向のうち屋外側に相対移動することを規制するものである。
【００４０】
回転軸７３は、支持部材７１に幅方向に平行に固定され、フック７２を回転軸７３周り、すなわち幅方向周りに支持するものである。つまり、フック７２は、止水パネル２の上面２ｃに対して、幅方向周りに回転自在に支持されることとなる。
【００４１】
一対の位置決め機構８Ｒ，８Ｌは、図６に示すように、止水パネル２の屋内側の側面２ｂに設けられ、枠部材２００Ｒ，２００Ｌに対する止水パネル２の幅方向における位置を決めるものである。位置決め機構８Ｒ，８Ｌは、一方に対して他方が、屋内外方向を基準に線対称であり、本体部材８１と、位置決め部材８２と、移動・保持部材８３，８４とを備える。
【００４２】
本体部材８１は、位置決め部材８２を支持するものである。本体部材８１は、止水パネル２の屋内側の側面２ｂに取り付けられている。本実施形態における本体部材８１は、側面２ｂのうち、支持部材５１よりも上下方向における下方側に取り付けられている。本体部材８１は、上下方向から見た場合に、屋内外方向において止水パネル２と対向する部分と、幅方向において枠部材２００Ｒ，２００Ｌと対向する部分とを有し、Ｌ字状に形成されている。本体部材８１は、幅方向において枠部材２００Ｒ，２００Ｌと対向する部分に図示しない挿入穴が形成されている。
【００４３】
位置決め部材８２は、枠部材２００Ｒ，２００Ｌの間に配置、すなわち対向面２０１と幅方向において対向するように配置される。位置決め部材８２は、本体部８２ａと、軸部８２ｂとを備える。本体部８２ａは、枠部材２００Ｒ，２００Ｌと接触する場合があるものであり、円板状に形成されている。本体部８２ａは、例えば、弾性変形が小さい硬質ゴムなどにより構成されている。軸部８２ｂは、棒状であり、外周面に雄ねじが形成されている。軸部８２ｂの幅方向における両端部のうち、一方の端部、すなわち先端部が上記挿入穴に挿入され、他方の端部が本体部８２ａに固定されている。なお、位置決め部材８２は、開口部１００に対して止水パネル２を傾斜状態で配置した際に、幅方向において枠部材２００Ｒ，２００Ｌと対向するように、本体部材８１に対して支持されている。
【００４４】
移動・保持部材８３，８４は、幅方向に図示しない貫通穴が形成されており、図示しない内周面に位置決め部材８２の軸部８２ｂが螺合する雌ねじが形成されている。移動・保持部材８３，８４は、本体部材８１の挿入穴を挟んで幅方向に配置され、螺合する軸部８２ｂを介して位置決め部材８２を止水パネル２に対して幅方向において移動自在とし、かつ止水パネル２に対して幅方向における位置を保持する。
【００４５】
ここで、位置決め機構８Ｒ，８Ｌは、位置決め部材８２の本体部材８１に対する幅方向における位置を変更することで、第１止水部材３Ｒ，３Ｌを枠部材２００Ｒ，２００Ｌと屋内外方向において確実に対向させるものである。具体的には、枠部材２００Ｒに対応する位置決め部材８２については、枠部材２００Ｒに接触した際に、第１止水部材３Ｒの幅方向における開口部１００側と反対側の端部を枠部材２００Ｒの開口部１００側と反対側の端部と同じまたはこの端部よりも開口部１００側に位置させるとともに、第１止水部材３Ｌの幅方向における開口部１００側の端部を枠部材２００Ｌの開口部１００側の端部と同じまたはこの端部よりも開口部１００側と反対側に位置させるように、本体部材８１に対する幅方向における位置を調整する。一方、枠部材２００Ｌに対応する位置決め部材８２については、枠部材２００Ｌに接触した際に、第１止水部材３Ｌの幅方向における開口部１００側と反対側の端部を枠部材２００Ｌの開口部１００側と反対側の端部と同じまたはこの端部よりも開口部１００側に位置させるとともに、第１止水部材３Ｒの幅方向における開口部１００側の端部を枠部材２００Ｒの開口部１００側の端部と同じまたはこの端部よりも開口部１００側と反対側に位置させるように、本体部材８１に対する幅方向における位置を調整する。これにより、止水パネル２を開口部１００に対して傾斜状態で配置する際に、上下方向から見た場合に、位置決め部材８２を枠部材２００Ｒ，２００Ｌとの間に挿入すれば、位置決め部材８２を枠部材２００Ｒ，２００Ｌに接触させても、枠部材２００Ｒ，２００Ｌに対する止水パネル２の幅方向における位置を、第１止水部材３Ｒ，３Ｌが幅方向において枠部材２００Ｒ，２００Ｌからはみ出ることのない位置に位置決めすることができる。従って、第１止水部材３Ｒ，３Ｌを枠部材２００Ｒ，２００Ｌに確実に密接させることができ、ユーザーに正しい止水装置１の設置を促すことができるので、止水装置１の止水性能を維持することができる。
【００４６】
次に、本実施形態に係る止水パネル２の組み立て方法について説明する。止水パネル２は、下方から上方に向けて、下段パネル材２３、中段パネル材２２、上段パネル材２１の順番となるように、上下方向に隣り合うパネル材２１〜２３を連結し、連結状態のパネル材２１〜２３の幅方向における両端部に一対の側面部材２４Ｒ，２４Ｌを固定することで、組み立てられる。
【００４７】
まず、図７に示すように、上段パネル材２１を中段パネル材２２に連結する。予め中段パネル材２２の収容空間部Ｓにパネル止水部材Ｇが収容された状態で、上段パネル材２１の第３係合部２７を収容されたパネル止水部材Ｇと接触させる。このとき、上段パネル材２１の第１係合部２５は、中段パネル材２２の第２係合部２６とは離間した状態である。次に、上段パネル材２１を中段パネル材２２に対して、第３係合部２７を基準として、第１係合部２５および第２係合部２６を近接する方向である矢印Ａ方向に回転させる。上段パネル材２１を中段パネル材２２に対して矢印Ａ方向に回転させても、パネル止水部材Ｇに対する第３係合部２７の接触状態は維持される。上段パネル材２１を中段パネル材２２に対して矢印Ａ方向に回転させると、第１係合部２５および第２係合部２６が接触し、第２係合爪２５ｂが係合爪２６ａを乗り越え、係合爪２６ａが第１係合爪２５ａと第２係合爪２５ｂとの間に位置する。この状態においては、第３係合部２７は、第４係合部２８と接触しており、係合爪２７ａが係合爪２８ｄよりも下方側に位置する。従って、第３係合部２７が第４係合部２８と厚み方向において対向した状態となり、第３係合部２７と第４係合部２８とが係合状態となるので、上段パネル材２１と中段パネル材２２とが仮連結状態となる。さらに、上段パネル材２１を中段パネル材２２に対して矢印Ａ方向に回転させると、第１係合爪２５ａが係合爪２６ａを乗り越え、係合爪２６ａが第１係合爪２５ａよりも上方側に位置する。従って、第１係合部２５が第２係合部２６と厚み方向において対向した状態となるので、第１係合部２５と第２係合部２６とが係合状態となる。これにより、パネル止水部材Ｇが第３係合部２７および第４係合部２８と接触した状態で、第１係合部２５および第２係合部２６が係合状態となり、第３係合部２７および第４係合部２８が係合状態となり、上段パネル材２１と中段パネル材２２とが連結状態となる。このとき、パネル止水部材Ｇが第３係合部２７および第４係合部２８と接触した状態であるので、パネル止水部材Ｇは、厚み方向における上段パネル材２１と中段パネル材２２と間のうち、一方（屋内側）の隙間を介してパネル材２１，２２の外側と内側の連通を止水することができる。
【００４８】
また、図８に示すように、中段パネル材２２を下段パネル材２３に連結する。予め下段パネル材２３の収容空間部Ｓにパネル止水部材Ｇが収容された状態で、中段パネル材２２の第３係合部２７を収容されたパネル止水部材Ｇと接触させる。このとき、中段パネル材２２の第１係合部２５は、下段パネル材２３の第２係合部２６とは離間した状態である。次に、中段パネル材２２を下段パネル材２３に対して、第３係合部２７を基準として、第１係合部２５および第２係合部２６を近接する方向である矢印Ａ方向に回転させる。中段パネル材２２を下段パネル材２３に対して矢印Ａ方向に回転させても、パネル止水部材Ｇに対する第３係合部２７の接触状態は維持される。中段パネル材２２を下段パネル材２３に対して矢印Ａ方向に回転させると、係合爪２６ａが第１係合爪２５ａと第２係合爪２５ｂとの間に位置し、係合爪２７ａが係合爪２８ｄよりも下方側に位置する。従って、第３係合部２７と第４係合部２８とが係合状態となるので、中段パネル材２２と下段パネル材２３とが仮連結状態となる。さらに、中段パネル材２２を下段パネル材２３に対して矢印Ａ方向に回転させると、第１係合部２５と第２係合部２６とが係合状態となる。これにより、パネル止水部材Ｇが第３係合部２７および第４係合部２８と接触した状態で、第１係合部２５および第２係合部２６が係合状態となり、第３係合部２７および第４係合部２８が係合状態となり、中段パネル材２２と下段パネル材２３とが連結状態となる。また、パネル止水部材Ｇが、中段パネル材２２と下段パネル材２３との間の一方（屋内側）の外側と内側の連通を止水する。
【００４９】
次に、連結されたパネル材２１〜２３の幅方向における両端部に、図１に示すように、一対の側面部材２４Ｒ，２４Ｌをそれぞれ取り付ける。ここでは、一対の側面部材２４Ｒ，２４Ｌが連結されたパネル材２１〜２３の幅方向における両端部を閉塞した状態で、図５に示すように、ビスＢを側面部材２４Ｒ，２４Ｌのビス穴２４ｃおよび側面止水部材２４ｄの貫通穴２４ｅに挿入し、各ビス止め部２１ｂ，２２ｃ，２２ｄ，２３ｄ，２３ｅにそれぞれ螺合することで、連結されたパネル材２１〜２３に対して一対の側面部材２４Ｒ，２４Ｌをそれぞれ固定する。
【００５０】
以上のように，本実施形態に係る止水パネル２は、第１係合部２５および第２係合部２６の係合と、第３係合部２７および第４係合部２８の係合とにより、パネル材２１〜２３同士の連結を強固に行うが、ユーザーによるパネル材２１〜２３同士の連結は、第３係合部２７を収容空間部Ｓに収容されたパネル止水部材Ｇに接触させた状態で、第３係合部２７を基準に第１係合部２５と第２係合部２６とが近接する方向にパネル材２１〜２３を回転させることで行われる。つまり、第３係合部２７を上下方向においてすでに第４係合部２８と係合できる位置に位置させた状態で、第１係合部２５と第２係合部２６とが近接する方向にパネル材２１〜２３を回転させる。その結果、パネル止水部材Ｇが第３係合部２７および第４係合部２８と接触した状態で、第１係合部２５および第２係合部２６が係合状態となり、第３係合部２７および第４係合部２８が係合状態となり、パネル材２１〜２３同士が連結するので、止水パネル２の組み立て作業性の低下を抑制することができる。
【００５１】
次に、本実施形態に係る止水装置１の設置方法について説明する。図９は、実施形態に係る止水パネルを用いた止水装置（立位状態）の動作説明図である。図１０は、実施形態に係る止水パネルを用いた止水装置（傾斜状態）の動作説明図である。なお、図９および図１０においては、止水パネル２、第１止水部材３Ｒ，３Ｌ、第２止水部材４を模式的に作図（二点鎖線）している。ここで、位置決め機構８Ｒ，８Ｌは、止水装置１を設置する前に予め、位置決め部材８２の本体部材８１に対する幅方向における位置が調整されている。また、固定機構６Ｒ，６Ｌは、止水装置１を設置する前に予め、接触部材６１の対向面２０１と接触する部分同士の幅方向における距離が開口部１００の幅よりも狭くなるように、ノブ６５により調整されている。
【００５２】
ユーザーは、豪雨、津波、河川の氾濫などの水害時に、外部である屋外からの氾濫水などの水が建造物の屋内に開口部１００から浸入すると予想される場合に、開口部１００とは異なる場所で保管されている止水装置１を開口部１００の屋外側まで運搬する。次に、ユーザーは、止水パネル２の向きを第１止水部材３Ｒ，３Ｌが屋内外方向において開口部１００と対向する向きとする。
【００５３】
次に、ユーザーは、図１０に示すように、止水パネル２を傾斜状態に配置する。ここで、傾斜状態とは、止水パネル２が設置面３００に接地、すなわち第２止水部材４が設置面３００に接地し、かつ、枠部材２００Ｒ，２００Ｌに対して屋外側に傾斜した状態である。なお、止水パネル２を傾斜状態に配置するときは、第１止水部材３Ｒ，３Ｌの両方の下端部が枠部材２００Ｒ，２００Ｌに密接するように、止水パネル２の下端部を枠部材２００Ｒ，２００Ｌに押し当てながら設置面３００に置くようにする。このとき、上述のように、位置決め機構８Ｒ，８Ｌにより、枠部材２００Ｒ，２００Ｌに対する止水パネル２の幅方向における位置は、第１止水部材３Ｒ，３Ｌが幅方向において枠部材２００Ｒ，２００Ｌからはみ出ることのない位置に位置決めされる。次に、ユーザーは、止水パネル２の傾斜状態を維持したまま、固定機構６Ｒ，６Ｌを枠部材２００Ｒ，２００Ｌに固定する。ここでは、ユーザーは、接触部材６１を対向面２０１に幅方向において対向させた状態で、ノブ６５を一方向に回転させ、押圧部材５２に対して軸部６５ａの先端部を対向面２０１側に移動させ先端部が接触する接触部材６１を対向面２０１に向けて移動させる。ユーザーは、さらにノブ６５を同一方向に回転させ、接触部材６１を第１緩衝部材６２を介して対向面２０１と接触させるとともに、第２緩衝部材６３を介して屋外側面２０２と接触させる。ユーザーは、さらに、ノブ６５を同一方向に回転させ、対向面２０１に接触した接触部材６１により枠部材２００Ｒ，２００Ｌを幅方向においてそれぞれ押圧することで、接触部材６１を枠部材２００Ｒ，２００Ｌに対して突っ張らせることで、接触部材６１を枠部材２００Ｒ，２００Ｌに対して固定する。固定機構６Ｒ，６Ｌが枠部材２００Ｒ，２００Ｌに固定されると、止水パネル２はユーザーにより支持しなくても、傾斜状態を維持する。このとき、止水装置１を幅方向から見た場合に、軸部６５ａと、回転軸５３と、止水パネル２および設置面３００の接地点を結ぶ線がくの字状となる。
【００５４】
次に、ユーザーは、止水パネル２を傾斜状態から立位状態とする。ここで、立位状態とは、幅方向から見た場合に、止水パネル２が枠部材２００Ｒ，２００Ｌに沿った状態をいう。ユーザーは、止水パネル２を屋内側に向けて押す。これにより、止水パネル２の上下方向における上方部分は、固定機構６Ｒ，６Ｌの中心、すなわち軸部６５ａを中心に矢印Ｃ方向に回転する。止水パネル２の上下方向における上方部分の回転中心は、枠部材２００Ｒ，２００Ｌに対する相対移動を行えない軸部６５ａであるため、回転軸５３の軌跡により、枠部材２００Ｒ，２００Ｌに近づきながら、上下方向のうち下方に移動する。従って、第２止水部材４には、下方の押圧力Ｐが作用し、弾性変形する。つまり、第２止水部材４は、止水パネル２が傾斜状態から立位状態となることで、止水パネル２により設置面３００に押圧され、図９に示すように、設置面３００と密接する。また、第１止水部材３Ｒ，３Ｌは、止水パネル２が傾斜状態から立位状態となることで、枠部材２００Ｒ，２００Ｌとそれぞれ密接する。
【００５５】
次に、ユーザーは、止水パネル２が立位状態で、保持機構７Ｒ，７Ｌのフック７２を回転軸７３周りに一方向に回転させ、係止溝７２ｂにノブ６５の軸部６５ａをそれぞれ挿入させる。ここで、止水パネル２が立位状態において、幅方向から見た場合に、軸部６５ａよりも回転軸５３が屋外側に位置している。従って、止水パネル２は、外力が作用しない場合、立位状態を維持することができず、傾斜状態になろうとする。しかしながら、保持機構７Ｒ，７Ｌにより、止水パネル２の立位状態を保持することで、一対の枠部材２００Ｒ，２００Ｌに対する止水パネル２の位置関係を保持するので、第１止水部材３Ｒ，３Ｌが枠部材２００Ｒ，２００Ｌと密接、および第２止水部材４が設置面３００と密接した状態を維持することができる。これにより、第１止水部材３Ｒ，３Ｌにより枠部材２００Ｒ，２００Ｌと止水パネル２との間を止水し、第２止水部材４により設置面３００と止水パネル２との間を止水する。この状態で、屋外側から開口部１００を介して屋内側に水が浸入しようとすると、止水パネル２により開口部１００から屋内側への水の浸入が防止される。止水パネル２の屋外側の水位が上昇すると、水圧を止水パネル２の側面２ａが受けることになり、水圧が止水パネル２に対して屋内外方向における屋内側に作用する。これにより、第１止水部材３Ｒ，３Ｌによる枠部材２００Ｒ，２００Ｌに対する押圧力Ｐが増加し、第１止水部材３Ｒ，３Ｌと枠部材２００Ｒ，２００Ｌとの密接が高まり、枠部材２００Ｒ，２００Ｌと止水パネル２との間の止水をより確実に行うことができる。
【００５６】
なお、止水装置１を取り外す場合は、保持機構７Ｒ，７Ｌのフック７２を回転軸７３周りに他方向に回転させ、係止溝７２ｂからノブ６５の軸部６５ａをそれぞれ離間させる。次に、ユーザーは、ノブ６５をさらに他方向に回転させ、押圧部材５２に対して軸部６５ａの先端部を開口部１００側に移動させ先端部を接触部材６１から離間させる。これにより、固定機構６Ｒ，６Ｌを枠部材２００Ｒ，２００Ｌから取り外すことができ、止水装置１を枠部材２００Ｒ，２００Ｌから取り外すことができる。
【００５７】
以上のように、固定機構６Ｒ，６Ｌを枠部材２００Ｒ，２００Ｌに固定した状態で、止水パネル２を傾斜状態で配置し、止水パネル２を傾斜状態から立位状態とすることで、一対の押圧機構５Ｒ，５Ｌにより止水パネル２が設置面３００に押圧され、第２止水部材４を設置面３００に対して確実に密接させることができる。つまり、枠部材２００Ｒ，２００Ｌに対して、止水パネル２を屋外側から接触させる動作で、第２止水部材４が設置面３００を確実に密接させることができる。従って、第２止水部材４を設置面３００に密接させるための機構が簡単であり、止水パネル２により設置面３００との止水を確実に行うことができる。
【００５８】
なお、上記実施形態においては、パネル止水部材Ｇは、止水パネル２の屋内外方向における屋内側に位置するが、これに限定されるものではなく、屋外側に位置するように、各パネル材２１〜２３における第１係合部２５および第２係合部２６の厚み方向における位置と、第３係合部２７および第４係合部２８の厚み方向における位置とを入れ替えてもよい。各パネル材２１〜２３における第１係合部２５および第３係合部２７と、第２係合部２６および第４係合部２８とは、上下方向における位置を入れ替えてもよい。
【産業上の利用可能性】
【００５９】
以上のように、本発明に係る止水パネルは、開口部に有用であり、特に、屋外側から屋内側に向かう水の浸入を抑制するのに適している。
【符号の説明】
【００６０】
１  止水装置
２  止水パネル
２１  上段パネル材
２２  中段パネル材
２３  下段パネル材
２４Ｒ，２４Ｌ  側面部材
２４ｄ  側面止水部材
２５  第１係合部
２６  第２係合部
２７  第３係合部
２８  第４係合部
２９  突起部
３Ｒ，３Ｌ  第１止水部材
４  第２止水部材
５Ｒ，５Ｌ  押圧機構
６Ｒ，６Ｌ  固定機構
７Ｒ，７Ｌ  保持機構
１００  開口部
２００Ｒ，２００Ｌ  枠部材
３００  設置面
Ｇ  パネル止水部材
Ｓ  収容空間部
【図１】
0006590533.tif 000002
【図２】
0006590533.tif 000003
【図３】
0006590533.tif 000004
【図４】
0006590533.tif 000005
【図５】
0006590533.tif 000006
【図６】
0006590533.tif 000007
【図７】
0006590533.tif 000008
【図８】
0006590533.tif 000009
【図９】
0006590533.tif 000010
【図１０】
0006590533.tif 000011